(57)【要約】【課題】水抜き等により逆流防止装置に残留した湯水の凍結に起因する大量の漏水を防止可能な浴槽給湯装置および洗濯注水装置の提供を目的とする。【解決手段】浴槽給湯装置１は、給湯に用いられる湯水を加熱する給湯部２と、浴槽３内の湯水を追焚きする追焚き部５とを具備している。給湯部２が具備する高温湯回路１１（上水回路）と追焚き部５が具備する浴槽循環回路２２（雑水回路）との間には逆流防止装置５０が設けられている。逆流防止装置５０は、高温湯回路１１側から浴槽循環回路２２側に向けて供給される湯水の給水圧の差によってオーバーフロー口５２を開閉するものである。逆流防止装置５０の近傍には凍結防止ヒータ８８が配置されている。浴槽給湯装置１は、電源の投入後、所定時間にわたって浴槽３への湯水の供給を禁止することにより、オーバーフロー口５２からの漏水を防止する機能制限を行う。【選択図】  図１
2004150759.tif 000002
【特許請求の範囲】
【請求項１】
外部から上水を供給する給水配管と、当該給水配管を介して導入された上水を加熱する給湯回路と、前記給湯回路から上水を浴槽へ供給すると共に浴槽内の雑水を循環および加熱可能な浴槽循環回路とを具備し、前記給湯回路と浴槽循環回路との間に、上水の給水圧によってオーバーフロー口を閉止すると共に、前記給水圧が低下した場合にオーバーフロー口を開成し、浴槽および浴槽循環回路内の雑水が、上水側に逆流することを防止する逆流防止装置が設けられた浴槽給湯装置であって、当該浴槽給湯装置の電源を投入した後、所定時間にわたって浴槽循環回路側への上水の供給を禁止する機能制限を行うことを特徴とする浴槽給湯装置。
【請求項２】
逆流防止装置の近傍には、逆流防止装置の凍結を防止するヒータが設置されており、当該ヒータは、浴槽給湯装置への電源投入から所定時間だけ経過するか、ヒータ近傍の雰囲気温度が所定温度に達するまで作動することを特徴とする請求項１に記載の浴槽給湯装置。
【請求項３】
電源投入時における外気温が所定温度以上である場合に機能制限を解除することを特徴とする請求項１又は２に記載の浴槽給湯装置。
【請求項４】
外部から上水を供給する給水配管と、所定の汲み出し動作を行うことにより、浴槽内の雑水を洗濯機に注水する洗濯注水回路とを具備し、前記給水配管と洗濯注水回路との間に、上水の給水圧によってオーバーフロー口を閉止すると共に、前記給水圧が低下した場合にオーバーフロー口を開成し、浴槽内の雑水が前記給水配管側に逆流することを防止する逆流防止装置が設けられた洗濯注水装置であって、当該洗濯注水装置への電源投入から所定時間にわたって前記給水配管側から洗濯注水回路側への上水の供給を禁止する機能制限を行うことを特徴とする洗濯注水装置。
【請求項５】
逆流防止装置の近傍には、逆流防止装置の凍結を防止するヒータが設置されており、当該ヒータは、浴槽給湯装置への電源投入から所定時間だけ経過するか、ヒータ近傍の雰囲気温度が所定温度に達するまで作動することを特徴とする請求項４に記載の洗濯注水装置。
【請求項６】
電源投入時における外気温が所定温度以上である場合に機能制限を解除することを特徴とする請求項４又は５に記載の洗濯注水装置。
【発明の詳細な説明】
【０００１】
【発明の属する技術分野】
本発明は、上水が流れる上水回路と、雑水が流れる雑水回路との間に逆流防止装置を設けた浴槽給湯装置、並びに、洗濯注水装置に関するものである。
【０００２】
【従来の技術】
従来技術の浴槽給湯装置や洗濯注水装置には、上水が流れ、給湯等に用いられる上水回路と、浴槽内の湯水のような雑水が流れる雑水回路とを具備したものがある。かかる構成を有する浴槽給湯装置や洗濯注水装置では、上水に雑水が混合してしまうのを防止すべく、雑水回路側から上水回路側に雑水が逆流するのを防止する必要があった。そのため、従来技術では、雑水回路と上水回路との間に、例えば下記の特許文献１や特許文献２に開示されているような逆流防止装置が設置されていた。
【０００３】
【特許文献１】
特開平７−１０３３５８号公報
【特許文献２】
特開２０００−３０４１４４号公報
【０００４】
逆流防止装置は、１次側および２次側の圧力を導入するための圧力導入部と、２次側の圧力導入部に連通したオーバーフロー口と、１次側と２次側との圧力差により作動するダイヤフラムやスプール等を具備している。逆流防止装置は、１次側の圧力が２次側の圧力よりも高い場合にオーバーフロー口を閉成し、１次側から２次側への水流を許す。また逆に、逆流防止装置は、２次側の圧力が１次側の圧力よりも高くなると、オーバーフロー口を開成して２次側を開成することにより、２次側の雑水が１次側に逆流するのを阻止する。
【０００５】
【発明が解決しようとする課題】
従来技術の浴槽給湯装置や洗濯注水装置では、使用者が留守にするなどして長期間にわたって使用しないと想定される場合に、配管内の湯水を排出する水抜きが行われる。冬季のように低温の環境下で湯水を排出した状態で放置すると、逆流防止装置の内部に残留している水分が凍結し、ごく希にオーバーフロー口が開成されたままの状態となってしまう場合がある。
【０００６】
上記したように、逆流防止装置は、内部に残留した湯水の凍結によりオーバーフロー口を開成したままになってしまうことがある。この場合、浴槽給湯装置や洗濯注水装置を起動すべく電源が投入され、１次側の圧力導入部に水圧が作用しても、凍結によって逆流防止装置が作動せず、雑水側への上水の供給に伴って大量の漏水が発生してしまうという問題があった。
【０００７】
そこで、本発明は、水抜き等により逆流防止装置に残留した湯水の凍結に起因する大量の漏水が起こらない浴槽給湯装置、並びに、洗濯注水装置の提供を目的とする。
【０００８】
【課題を解決するための手段】
上記した問題に鑑み提供される請求項１に記載の発明は、外部から上水を供給する給水配管と、当該給水配管を介して導入された上水を加熱する給湯回路と、前記給湯回路から上水を浴槽へ供給すると共に浴槽内の雑水を循環および加熱可能な浴槽循環回路とを具備し、前記給湯回路と浴槽循環回路との間に、上水の給水圧によってオーバーフロー口を閉止すると共に、前記給水圧が低下した場合にオーバーフロー口を開成し、浴槽および浴槽循環回路内の雑水が、上水側に逆流することを防止する逆流防止装置が設けられた浴槽給湯装置であって、当該浴槽給湯装置の電源を投入した後、所定時間にわたって浴槽循環回路側への上水の供給を禁止する機能制限を行うことを特徴とする浴槽給湯装置である。
【０００９】
本発明の浴槽給湯装置は、給湯回路と浴槽循環回路との間に、外部から供給される上水の給水圧によってオーバーフロー口を閉止すると共に、前記給水圧が低下した場合にオーバーフロー口を開成し、浴槽循環回路内を流れる雑水の逆流を防止する逆流防止装置を具備している。そのため、本発明の浴槽給湯装置では、浴槽および浴槽循環回路内の雑水が上水側に混入しない。
【００１０】
水抜きの完了後に浴槽給湯装置への電源供給が断たれ、低温の環境下に放置されるなどすると、ごく希に逆流防止装置内に残留した湯水が凍結し、逆流防止装置がオーバーフロー口を開成したままの状態となる場合がある。この状態において浴槽給湯装置を起動させるべく電源を投入し、給水配管側あるいは給湯回路側から上水を供給すると、前記したようにオーバーフロー口において大量の漏出が発生するおそれがある。
【００１１】
そこで、本発明の浴槽給湯装置では、電源の投入から所定時間にわたって浴槽循環回路側への上水の供給を禁止する機能制限が行われる。そのため、本発明の浴槽給湯装置は、逆流防止装置内に残留した湯水の凍結によってオーバーフロー口が開成された状態で起動されても、上水の供給が行われず漏水が発生しない。
【００１２】
その一方で、本発明の浴槽給湯装置では、電源が投入されると、給水圧により上水が逆流防止装置の凍結部分またはその近傍に至る。そのため、本発明の浴槽給湯装置では、電源の投入時に逆流防止装置が内部に残留していた湯水の凍結によりオーバーフロー口を開成したままの状態となっていても、電源投入から所定時間が経過した頃、即ち機能制限が終了する頃には給水圧により凍結部分またはその近傍に至った上水によって逆流防止装置の凍結部分が解凍され、給水圧によってオーバーフロー口が閉成されている。従って、上記した構成によれば、浴槽給湯装置の電源投入時に、内部に残留した湯水の凍結により逆流防止装置がオーバーフロー口を開成したままの状態となっていても、これに伴う大量の水漏れを確実に防止することができる。またさらに、後記するように、逆流防止装置の近傍にヒータを配置する構成とすれば、逆流防止装置の凍結部分をより一層確実に解凍し、オーバーフロー口からの大量の水漏れをより一層確実に防止することができる。
【００１３】
請求項４に記載の発明は、外部から上水を供給する給水配管と、所定の汲み出し動作を行うことにより、浴槽内の雑水を洗濯機に注水する洗濯注水回路とを具備し、前記給水配管と洗濯注水回路との間に、上水の給水圧によってオーバーフロー口を閉止すると共に、前記給水圧が低下した場合にオーバーフロー口を開成し、浴槽内の雑水が前記給水配管側に逆流することを防止する逆流防止装置が設けられた洗濯注水装置であって、当該洗濯注水装置への電源投入から所定時間にわたって前記給水配管側から洗濯注水回路側への上水の供給を禁止する機能制限を行うことを特徴とする洗濯注水装置である。
【００１４】
本発明の洗濯注水装置には浴槽内の湯水を汲み出して洗濯機に注水する洗濯注水回路が設けられている。洗濯注水回路は、上記した浴槽循環回路と同様に雑水が流れる流水回路である。本発明の洗濯注水装置においては、雑水が流れる洗濯注水回路と、上水が流れる給水配管との間に逆流防止弁が設けられているため、給水配管内への雑水の混入が起こらない。
【００１５】
また、本発明の洗濯注水装置においては、電源の投入から所定時間にわたって浴槽循環回路および洗濯注水回路側への上水の供給を禁止する機能制限が行われる。そのため、本発明の洗濯注水装置では、水抜き時等に逆流防止装置内に残留した湯水の凍結によりオーバーフロー口が開成されたままの状態で洗濯注水装置の電源が投入されても漏水を起こさない。
【００１６】
またその一方で、本発明の洗濯注水装置では、機能制限中に給水圧によって上水が逆流防止装置の凍結部分またはその近傍に至る。そのため、本発明の洗濯注水装置では、電源投入時に水抜き等に伴って逆流防止装置内に残留した湯水の凍結によってオーバーフロー口が開成したままの状態であっても、機能制限が完了した頃には給水圧により凍結部分あるいはその近傍に至った上水により逆流防止装置の凍結部分が解凍され、給水圧によってオーバーフロー口が閉成されている。従って、上記した構成によれば、水抜き時等に内部に残った湯水の凍結によりオーバーフロー口が開成された状態において洗濯注水装置の電源が投入されても、大量の水漏れを起こすことなく洗濯注水装置を起動できる。また、後記するように、逆流防止装置の近傍にヒータを配置する構成とすれば、逆流防止装置の凍結部分をより一層確実に解凍し、オーバーフロー口からの大量の水漏れを確実に防止することができる。
【００１７】
本発明において、「給水配管」とは外部から供給される上水又は上水を加熱して供給するものであり、例えば外部から上水を供給するための配管や、外部から供給された上水を加熱して給湯する給湯用の配管などを含むものである。
【００１８】
また、上記した浴槽給湯装置あるいは洗濯注水装置は、逆流防止装置の近傍に、逆流防止装置の凍結を防止するヒータが設置されており、当該ヒータが、浴槽給湯装置への電源投入から所定時間だけ経過するか、ヒータ近傍の雰囲気温度が所定温度に達するまで作動することを特徴とするものであってもよい。（請求項２，５）
【００１９】
かかる構成によれば、水抜き等により逆流防止装置内に残留し、凍結した湯水の解凍を確実に行うことができる。そのため、本発明によれば、逆流防止装置内に残留した湯水の凍結に伴う逆流防止装置の誤作動を防止し、オーバーフロー口における大量の水漏れを確実に防止することができる。
【００２０】
また、上記した浴槽給湯装置あるいは洗濯注水装置は、電源投入時における外気温が所定温度以上である場合に機能制限を解除することを特徴とするものであってもよい。（請求項３，６）
【００２１】
かかる構成によれば、電源投入時に既に外気温が所定温度以上であり、逆流防止装置の凍結が発生していないと想定される場合に機能制限を行わなくて済む。即ち、上記した構成によれば、外気温が高く、逆流防止装置の凍結に伴う漏水が発生しないと想定される場合に、機能制限を行わず直ちに次の動作へと移行することができる。
【００２２】
【発明の実施の形態】
以下さらに本発明の実施形態について説明する。
図１は、本発明の一実施形態である浴槽給湯装置の配管系統図である。また、図２は、図１に示す浴槽給湯装置における制御フローを示すフローチャート図である。
【００２３】
図１において、１は本実施形態の浴槽給湯装置である。浴槽給湯装置１は、落とし込み給湯及び他栓への給湯を行う給湯部２と、浴槽３内の湯を追い焚きする追焚き部５を持つ。
【００２４】
給湯部２は、公知の給湯器と同様の構成であり、給湯用熱交換器１０に接続される高温湯回路１１と、給湯用熱交換器１０をバイパスするバイパス回路１２を持つ。そしてバイパス回路１２を流れるバイパス水量をバイパス水量調節弁１５によって調節し、高温湯回路１１を流れる高温湯とバイパス回路１２を流れる冷水を混合して湯の温度を調節する。また高温湯回路１１とバイパス回路１２との混合部分の下流側には水量調節弁１８と温度センサー２０が設けられており、温度センサー２０によって検知された温度が前記したバイパス水量調節弁１５等にフィードバックされると共に、水量調節弁１８によって総水量が調節される。
【００２５】
高温湯回路１１には、水量センサー１４と、温度センサー１９が設けられ、高温湯の温度が８０°Ｃ程度となる様に比例制御弁１７の開度が調節され、燃料ガスの供給量が調整される。
【００２６】
追焚き部５は、浴槽３と追い焚き用熱交換器２１とに湯水を循環させる浴槽循環回路２２を持つものである。即ち浴槽循環回路２２は、追い焚き用熱交換器２１側から浴槽３へ湯を送る往き側水路２３と、浴槽３から追い焚き用熱交換器２１側に湯を戻す戻り側水路２４を持つ。そして戻り側水路２４には、水位センサー２５と、循環ポンプ２６、水流スイッチ２７及び湯温センサー２８が設けられている。ここで水位センサー２５は、浴槽３内の水位を検出するものであり、湯温センサー２８は、浴槽内の水温を検知するものである。
【００２７】
給湯部２と追焚き部５とは、落とし込み水路３０によって接続されている。落とし込み水路３０は、前記した給湯部２の温度センサー２０が取付けられた部位の下流側から分岐されたものであり、追焚き部５の戻り側水路２４に接続されている。また落とし込み水路３０と戻り側水路２４との接続部位には水量センサー３３、注湯電磁弁３２が接続され、さらにその下流には二つの逆止弁３４，３５が直列に設けられている。なお二つの逆止弁３４，３５は、いずれも給湯部２側から追焚き部５側に向かう水流を許し、逆を阻止する方向に取り付けられている。
【００２８】
また逆止弁３４，３５の間には、逆流防止装置５０が設けられている。逆流防止装置５０には高温湯回路１１の入水側から分岐された給水分岐管３６が接続される検圧口５１と、オーバーフロー口５２が設けられている。
逆流防止装置５０は、落とし込み水路３０側の圧力、即ち検圧口５１側（一次側）から作用する一次側圧力と、逆止弁３５側（二次側）から作用する二次側圧力との圧力の差に基づいて作動するダイヤフラムを具備している。さらに具体的には、逆流防止装置５０は、一次側圧力が二次側圧力よりも高い場合にオーバーフロー口５２を閉成し、一次側と二次側を直接的に接続する。したがって検圧口５１の一次側圧力が雑水回路側の圧力よりも高く、且つ注湯電磁弁３２が開くと上水回路側たる一次側から雑水回路側たる二次側への水流を許す。
【００２９】
逆に雑水回路たる二次側の圧力が上水回路たる一次側圧力よりも高くなると、オーバーフロー口５２を開き、雑水回路たる二次側と上水回路たる一次側を強制的に遮断する。
【００３０】
この様に逆流防止装置５０は、落とし込み水路３０を介して逆止弁３４側から供給される湯の圧力、さらに具体的には給水分岐管３６を介して検圧口５１に作用する圧力が、雑水側たる逆止弁３５より下流側の水圧よりも高い場合に逆止弁３４側から逆止弁３５側に向けて湯水を流す。逆に、逆流防止装置５０は、二次側の圧力が一次側の圧力よりも高くなると、オーバーフロー口５２を開成して二次側を大気開放し、戻り側水路２４内を流れる雑水が落とし込み水路３０（上水側）に逆流するのを阻止する。
【００３１】
また本実施形態では、凍結防止用の電気ヒータとして、缶体ヒータ８１、第１入水ヒータ８２、第２入水ヒータ８３、出湯ヒータ８５、風呂ポンプヒータ８６、並びに、凍結防止ヒータ８８が設けられている。
【００３２】
各ヒータについて説明すると、本実施形態では、給湯側の給湯部２に缶体ヒータ８１が設けられている。
また給水栓８７の給水口近傍に第１入水ヒータ８２が設けられている。また高温湯回路１１の入水側に設けられた水量センサー１４の近傍に第２入水ヒータ８３が設けられている。
さらに水量調節弁１８の近傍に出湯ヒータ８５が設けられている。
【００３３】
風呂ポンプヒータ８６は、風呂・暖房部の風呂水循環ポンプ２６の近傍に設けられている。また、凍結防止ヒータ８８は、逆流防止装置５０の近傍に設置されている。
【００３４】
上記した給湯部２と追焚き部５の熱交換器１０，２１は、それぞれ独立した燃焼ケース３７，３８内に配されており、それぞれ独立した給気ファン４０，４１によって給気される。
またバーナ４７，４８に供給されるガスの経路も、元電磁弁４３以降が独立している。給湯部２の給湯用のバーナ４７には、比例制御弁１７によって比例制御され、追焚き部５は、電磁弁４５を経て追い焚き用のバーナ４８にガスが供給される。
【００３５】
上記した構成に加えて、浴槽給湯装置１には外気温を検知する気温検知センサ９０が設けられている。
【００３６】
浴槽給湯装置１は、公知の熱源装置と同様の駆動制御を行う制御プログラムが入力された制御装置６０を具備している。制御装置６０には、制御プログラムの他に、本実施形態の浴槽給湯装置１に特有の動作である機能制限を行うプログラムが入力されている。以下、本実施形態の浴槽給湯装置１に特有の動作である機能制限について詳細に説明する。
【００３７】
使用者は、長期にわたって留守にする場合等に、給水配管に設けられた図示しない止水栓を閉止し、浴槽給湯装置１内への送水を停止し、さらに水抜き栓を開栓して内部の湯水の水抜きを行い、浴槽給湯装置１への電力供給を停止する。ここでさらに機器が低温下に晒されるなどすると、逆流防止装置５０内に残留した湯水が凍結し、ごく希にオーバーフロー口５２が開成したままの状態となる場合がある。この場合、浴槽給湯装置１を起動すべく、電源の投入と給水とを行い、さらに注湯電磁弁３２が開成されると、オーバーフロー口５２から大量の湯水が漏出してしまう。
【００３８】
そこで、本実施形態の浴槽給湯装置１では、上記した凍結による大量の湯水の漏出を防止すべく、電源投入時に制御装置６０が図２に示す制御フローに則って機能制限を開始する。以下さらに詳細に説明すると、制御装置６０は、ステップ１において浴槽給湯装置１に電源が投入されると直ちにステップ２において気温検知センサ９０によって外気温ｔを検知する。ここで、制御装置６０は、外気温ｔが所定の温度Ｔよりも高く逆流防止装置５０が凍結がしていないと想定される場合は、制御フローをステップ７へと進める。
【００３９】
一方、ステップ２において外気温ｔが所定の温度Ｔよりも低く、逆流防止装置５０が凍結しているおそれがある場合、制御装置６０は制御フローをステップ３へと進める。ステップ３において、制御装置６０は、注湯電磁弁３２の開動作を禁止する。さらに具体的には、本実施形態において、注湯電磁弁３２は常時において閉成されている電磁弁であるため、制御装置６０は注湯電磁弁３２への通電を遮断し閉成状態を維持し、使用者が浴槽給湯装置１の操作を行うためのリモコン（図示せず）等を介して制御装置６０に対して浴槽３への注湯要求を出しても、制御装置６０はこの要求を取り消す。これにより、逆止弁３４側から逆流防止弁５０への入水が阻止され、オーバーフロー口５２からの漏水が阻止される。その一方で給水栓８７から流入する上水の給水圧により、検圧口５１から少量の上水が逆流防止装置５０内に浸入する。逆流防止装置５０の凍結部分は検圧口５１から浸入した上水により徐々に解凍されていく。即ち、外部から供給される上水は、高温湯回路１１の入水側の配管や当該配管から分岐された給水分岐管３６内を流れるものであり、通常は冬季でも１０℃程度の水温を有する。そのため、検圧口５１から浸入する上水によって逆流防止装置５０の凍結部分を次第に解凍することができる。
【００４０】
これに続いて、制御装置６０は、逆流防止弁５０の凍結部分をさらに確実に解凍するために、ステップ４において逆流防止装置５０の近傍に設置された凍結防止ヒータ８８に通電を行い、逆流防止装置５０の加熱を開始する。ステップ５において、凍結防止ヒータ８８による逆流防止装置５０の加熱開始から所定時間（Ａ分）が経過したことが確認されると、制御装置６０は制御フローをステップ６へと進行させ、凍結防止ヒータ８８への通電を停止して逆流防止装置５０の加熱を終了する。ステップ６において凍結防止ヒータ８８への通電が停止されると、制御装置６０は、ステップ７において注湯電磁弁３２の開動作の禁止を解除すると共に、公知の熱源装置と同様の制御プログラムに基づく浴槽給湯装置１の駆動制御を開始する。
【００４１】
本実施形態の浴槽給湯装置１は、外気温ｔが所定温度Ｔよりも低く、水抜き時に逆流防止装置５０内に残留していた湯水の凍結により逆流防止装置５０のオーバーフロー口５２が開成されたままになっているおそれがある場合に、上記した機能制限を行う。そのため、浴槽給湯装置１では、仮に電源投入時に凍結により逆流防止装置５０がオーバーフロー口５２を開成したままの状態となっていても、凍結部分が検圧口５１から浸入した上水により徐々に解凍されていく。またさらに、浴槽給湯装置１は、凍結防止ヒータ８８によって逆流防止装置５０を加熱するものであるため、確実に逆流防止装置５０の凍結部分が解凍される。そのため、本実施形態の浴槽給湯装置１では、逆流防止装置５０が通常の動作を行えるようになってから、逆流防止装置５０に湯水が供給される。従って、浴槽給湯装置１は、水抜き等に伴って逆流防止装置５０内に残留した湯水が凍結してしまい、オーバーフロー口５２が開成された状態で起動されても、オーバーフロー口５２における漏水を起こさない。
【００４２】
また、浴槽給湯装置１は、外気温ｔが所定温度Ｔよりも高い場合に上記した機能制限を行わず、電源の投入後に直ちに注湯電磁弁３２の開動作の禁止を解除し、公知の熱源装置と同様の制御プログラムによって浴槽給湯装置１の駆動制御を開始する。そのため、上記した構成によれば、水抜き時に例え湯水が残留していても逆流防止装置５０の凍結が起こらないと想定される場合に、直ちに浴槽３および浴槽循環回路２２に湯水を給湯することができる。
【００４３】
続いて、本発明の第２実施形態について図面を参照しながら詳細に説明する。なお、本実施形態は、上記した第１実施形態と同様の構成であるため、共通する部分については同一の符号を付し、詳細の説明については省略する。
図３は、本発明の一実施形態である洗濯注水装置の配管系統図である。本実施形態の洗濯注水装置１００は、上記実施形態の浴槽給湯装置１と略同一の配管系統を具備しているが、洗濯機１０１に注湯を行う洗濯注水回路１０２を具備している点が大きく異なる。洗濯注水回路１０２は、三方弁１０３、フィルター１０５、水流スイッチ１０６、安全弁１０７を備えている。
【００４４】
即ち洗濯注水回路１０２は、図３に示すように洗濯注水装置１００の追焚き部５から浴槽３に至る往き側水路２３の一部に三方弁１０３が設けられ、その一部が分岐されたものである。即ち、三方弁１０３は、往き側水路２３に設けられると共に、フィルター１０５の一方の接続口に接続されている。また、フィルター１０５の他方の接続口は、水流スイッチ１０６を経て雑水用水栓１０８に接続されている。
【００４５】
また前記したフィルター１０５と水流スイッチ１０６とを繋ぐ流路は中途で分岐され、二つの逆止弁３４，３５を経て洗濯注水装置１００の給湯部２に接続されている。即ち、高温湯回路１１の入水側から分岐された給水分岐管３６が、注水電磁弁１１０およびガバナ１１１を介して逆止弁３４側に接続されている。本実施形態において、注湯電磁弁３２および注水電磁弁１１０は、常時において開成されており、通電することにより閉成するものである。逆流防止弁５０の検圧口５１には、給水分岐管３６の中途であってガバナ１１１よりも上流側において分岐された検圧管１１５が接続されている。また、高温湯回路１１の出湯側から分岐された落とし込み水路３０が、逆流抵抗弁１１２および注湯電磁弁３２を介して逆止弁３４側に接続されている。
【００４６】
また逆止弁３４，３５と注水電磁弁１１０及び注湯電磁弁３２との間には、安全弁１１３が設けられている。一方、もう一つの安全弁１０７は、フィルター１０５に取り付けられており、排出側が三方弁１０３と浴槽３との間に接続されている。
【００４７】
本実施形態の洗濯注水装置１００では、雑水用水栓１０８から浴槽３内の残湯、上水、上水を加熱した湯の三者を個別に供給することができる。
即ち浴槽３内の湯水を追い焚きする場合には、三方弁１０３を図３（ａ）の様に切り替え、洗濯注水装置１００の追焚き部５と浴槽３とを連通させ、フィルター１０５側（雑水用水栓１０８側）は遮蔽する。その結果、湯水は、浴槽３と追焚き部５との間だけで循環する。
【００４８】
一方、雑水用水栓１０８から上水を流出させる場合は、三方弁１０３を図３（ｂ）の様に切り替え、フィルター１０５側（雑水用水栓１０８側）に連通させ、浴槽３側を遮蔽する。
そしてこの状態において、注水電磁弁１１０を開く。その結果、給湯部２側から上水が流れ込み、ガバナ１１１、注水電磁弁１１０を経て逆止弁３４，３５に至る。そして上水は、水流スイッチ１０６に流れ込み、雑水用水栓１０８から吐出される。
【００４９】
また雑水用水栓１０８から上水を加熱した湯を出湯させる場合についても、三方弁１０３を図３（ｂ）の様に切り替え、フィルター１０５側（雑水用水栓１０８側）に連通させ、浴槽３側を遮蔽する。
そしてこの状態において、注湯電磁弁３２を開く。その結果、給湯部２側から湯が流れ込み、逆流抵抗弁１１２、注湯電磁弁３２を経て逆止弁３４，３５に至る。そしてこの湯は、水流スイッチ１０６に流れ込み、雑水用水栓１０８から吐出される。
【００５０】
また浴槽３内の残湯を雑水用水栓１０８から出湯させる場合は、三方弁１０３を図３（ｂ）の様に切り替え、フィルター１０５側（雑水用水栓１０８側）を連通させ、浴槽３側を遮蔽する。
そしてこの状態において、追焚き部５の循環ポンプ２６を起動する。その結果、浴槽３内の残湯が循環ポンプ２６に吸い込まれ、追焚き部５の追焚き用熱交換器２１を経て往き側水路２３に吐出される。そしてこの湯水は、往き側水路２３から三方弁１０３を経てフィルター１０５に流れ、さらに水流スイッチ１０６を経て雑水用水栓１０８から出湯される。なお浴槽３内の残湯を雑水用水栓１０８から出湯させる場合には、水流スイッチ１０６が水流を検知した状態で一旦循環ポンプ２６を停止し、一旦三方弁１０３を図３（ｃ）の様に三方共に連通する状態に切り替え、この状態で注湯電磁弁３２を開いて上水を加熱した湯をフィルター１０５に導入することが望ましい。このように湯をフィルター１０５を通じて浴槽３に導入するとフィルター１０５に付着した毛髪や垢が浴槽３側に押し戻され、雑水用水栓１０８から排出される湯水への毛髪や垢の混入を防止できる。
【００５１】
本実施形態の洗濯注水装置１００は、上記した浴槽給湯装置１と同様の制御装置１２０を具備している。制御装置１２０には、本実施形態の洗濯注水装置１００に特有の動作である機能制限を行うプログラムが入力されている。以下、本実施形態の洗濯注水装置１００の電源投入直後の動作を図４に示すフローチャート図を参照しながら順を追って詳細に説明する。
【００５２】
本実施形態の洗濯注水装置１００では、ステップ１において洗濯注水装置１００に電源が投入されると、制御装置１２０は、ステップ２において気温検知センサ９０によって外気温ｔを検知する。ここで、制御装置１２０は、外気温ｔが所定の温度Ｔよりも高い場合、逆流防止装置５０が凍結がしていないものと見なし、制御フローをステップ８へと進める。
【００５３】
ステップ２において外気温ｔが所定温度Ｔよりも低温である場合は、水抜き時に逆流防止装置５０内に残留していた湯水が凍結し、逆流防止装置５０のオーバーフロー口５２が開成したままの状態となっているおそれがあり、これに伴う大量の漏水が懸念される。そのため、制御装置１２０は制御フローをステップ３へと進め、注湯電磁弁３２および注水電磁弁１１０の開動作を禁止して洗濯注水回路１０２側への上水の供給を停止してオーバーフロー口５２からの漏水を防止する。さらに具体的には、ステップ３において、制御装置１２０は、注湯電磁弁３２および注水電磁弁１１０を閉成し、逆止弁３４側への通水を禁止し、オーバーフロー口５２からの漏水を防止する。その一方で、外部から供給される上水の給水圧により、検圧管１１５を介して検圧口５１から少量の上水が逆流防止装置５０内に浸入する。そのため、逆流防止装置５０の凍結部分は検圧口５１から浸入した上水により徐々に解凍されていく。
【００５４】
これに続いて、制御装置１２０は、逆流防止装置５０の凍結部分をより一層確実に解凍すべく、ステップ４において逆流防止装置５０近傍の凍結防止ヒータ８８に通電すると共に、洗濯注水装置１００内の各部を加熱すべく缶体ヒータ８１、第１入水ヒータ８２、第２入水ヒータ８３、出湯ヒータ８５、風呂ポンプヒータ８６にも通電を行う。
【００５５】
ステップ５において、凍結防止ヒータ８８による逆流防止装置５０の加熱開始から所定時間（Ａ分）が経過したことが確認されると、制御装置１２０は制御フローをステップ６へと進行させる。制御装置１２０は、ステップ６において逆流防止装置５０近傍の雰囲気温度ｄを検知する。ここで、雰囲気温度ｄが所定の温度Ｄよりも高い場合は、制御フローをステップ７へと進行させる。
【００５６】
一方、ステップ６において、逆流防止装置５０近傍の雰囲気温度ｄが所定の所定の温度Ｄよりも低い場合、制御装置１２０は制御フローをステップ６ａに進め、凍結防止ヒータ８８を始めとする上記各ヒータによる加熱を継続する。各ヒータによる加熱を開始してから所定時間（Ｂ分）が経過すると、制御装置１２０は制御フローをステップ７へと進行させ、上記各ヒータによる加熱を停止させる。
【００５７】
ステップ７において各ヒータへの通電が停止すると、制御装置１２０は注湯電磁弁３２および注水電磁弁１１０の開動作の禁止を解除し、公知の熱源装置と同様の制御プログラムによる洗濯注水装置１００の駆動制御を開始する。
【００５８】
本実施形態の洗濯注水装置１００は、外気温ｔが所定温度Ｔよりも低く、逆流防止装置５０内に残留していた湯水の凍結によりオーバーフロー口５２が開成したままとなっているおそれがある場合に限って、上記した機能制限を行う。そのため、上記した構成によれば、凍結による逆流防止装置５０の作動不良が起こらないと想定される場合に、直ちに雑水用水栓１０８から上水の供給を行うことができる。
【００５９】
また、洗濯注水装置１００では、外気温ｔが所定温度Ｔを下回っており、逆流防止装置５０が凍結していると想定される場合に凍結防止ヒータ８８に通電し、所定時間だけ逆流防止装置５０を加熱するものである。さらに、洗濯注水装置１００では、ヒータ８８によって所定時間にわたって逆流防止装置５０を加熱した後の雰囲気温度ｄが所定の温度Ｄを下回っている場合に引き続き逆流防止装置５０の加熱を行うことによって、逆流防止装置５０の凍結部分の解凍をより一層確実なものとしている。そのため、本実施形態の洗濯注水装置１００では、逆流防止装置５０の凍結状態が確実に解除された状態となってから逆流防止装置５０に湯水が供給される。従って、上記した構成によれば、水抜き等に伴い、電源投入時に逆流防止装置５０がオーバーフロー口５２が開成された状態で凍結していても、オーバーフロー口５２からの漏水を起こすことなく洗濯注水装置１００を起動することができる。
【００６０】
上記実施形態の浴槽給湯装置１および洗濯注水装置１００は、逆流防止装置５０の近傍に凍結防止ヒータ８８が配置された構成であるため、逆流防止装置５０の凍結部分を迅速且つ効率よく解凍し、逆流防止装置５０の凍結に伴うオーバーフロー口５２からの漏水を確実に防止することができる。
【００６１】
上記実施形態の浴槽給湯装置１および洗濯注水装置１００は、いずれも凍結防止ヒータ８８を具備したものであったが、本発明はこれに限定されず、凍結防止ヒータ８８を具備しない構成であっても良い。即ち、上記した浴槽給湯装置１および洗濯注水装置１００は、機能制限を行っている間に、給水圧によって逆流防止装置５０の検圧口５１から僅かに浸入する上水によって凍結部分を解凍する構成とすることも可能である。また、浴槽給湯装置１および洗濯注水装置１００は、内部にバーナ４７，４８を熱源として具備しているため、このバーナ４７，４８の作動に伴い発生する熱によって凍結部分を解凍する構成とすることも可能である。
【００６２】
上記実施形態の洗濯注水装置１００では、機能制限中に凍結防止ヒータ８８を所定時間にわたって作動させると共に、前記所定時間が経過した時点で逆流防止装置５０近傍の雰囲気温度ｄに応じて凍結防止装置８８による加熱を継続させる実施例を例示したが、本発明はこれに限定されるものではない。さらに具体的には、浴槽給湯装置１および洗濯注水装置１００は、逆流防止装置５０近傍の雰囲気温度ｄに応じて凍結防止装置８８による加熱を行うものであってもよい。また、浴槽給湯装置１は、上記した洗濯注水装置１００と同様に、外気温に応じて凍結防止ヒータ８８を所定時間にわたって作動させ、さらにこの時点で逆流防止装置５０近傍の雰囲気温度ｄに応じて凍結防止装置８８による加熱を行う構成としてもよい。
【００６３】
【発明の効果】
請求項１乃至３に記載の発明によれば、水抜き等に伴い逆流防止装置がオーバーフロー口を開成した状態で凍結することによる大量の水漏れを防止することができる。
【００６４】
また、請求項４乃至６に記載の発明によれば、電源の投入から所定時間にわたって浴槽への湯水の供給を禁止する機能制限を行うことにより、オーバーフロー口からの水漏れを確実に防止することができる。
【図面の簡単な説明】
【図１】本発明の一実施形態である浴槽給湯装置の配管系統図である。
【図２】図１に示す浴槽給湯装置における制御フローを示すフローチャート図である。
【図３】本発明の一実施形態である洗濯注水装置の配管系統図である。
【図４】図３に示す洗濯注水装置における制御フローを示すフローチャート図である。
【符号の説明】
１  浴槽給湯装置
３  浴槽
１１  高温湯回路（上水回路）
２２  浴槽循環回路（雑水回路）
２３  往き側水路
２４  戻り側水路
３０  落とし込み水路
３２  注湯電磁弁
３４  逆止弁
３５  逆止弁
３６  給水分岐管
５０  逆流防止装置
５１  検圧口
５２  オーバーフロー口
６０  制御装置
８８  凍結防止ヒータ
９０  気温検知センサ
１００  洗濯注水装置
１０２  洗濯注水回路
１１０  注水電磁弁
１１５  検圧管
１２０  制御装置
【図１】
2004150759.tif 000003
【図２】
2004150759.tif 000004
【図３】
2004150759.tif 000005
【図４】
2004150759.tif 000006